(57)【要約】      （修正有）【課題】優れた美粧性と衛生性を有し、白い再生紙の原料古紙とすることができる段ボールおよび段ボール箱を提供する。【解決手段】ライナー１と中芯２とからなる段ボールであって、ライナー１及び中芯２原紙の原材料を晒バージンパルプとし、前記ライナー１及び中芯２の白色度を８０％以上とする。また、段ボール箱は、上記段ボールからなる段ボール箱であって、段ボール箱の接合に有害成分を含有しない接着剤を用いる。【選択図】図１
0003160065.tif 000002
【実用新案登録請求の範囲】
【請求項１】
ライナー（１）と中芯（２）とからなる段ボールであって、ライナー（１）及び中芯（２）原紙の原材料を晒バージンパルプとし、前記ライナー（１）及び中芯（２）の白色度を８０％以上とすることを特徴とする段ボール。
【請求項２】
請求項１記載の段ボールからなる段ボール箱であって、段ボール箱の接合に有害成分を含有しない接着剤を用いることを特徴とする段ボール箱。
【請求項３】
前記接着剤は水溶性であることを特徴とする請求項２記載の段ボール箱。
【考案の詳細な説明】
【技術分野】
【０００１】
本考案は、晒バージンパルプを原材料とする段ボールおよび段ボール箱に関するものである。
【背景技術】
【０００２】
食品、食品容器、医薬品などの包装資材に用いる段ボールには優れた美粧性と衛生性が要求される。
【０００３】
美粧性については外観的に真っ白であることと、白色表層紙あるいは表面塗工層の内側の段ボール古紙の色または古紙中の未晒クラフトパルプ及び古紙中の夾雑物などが透けて見えないことが要求される。真っ白であることについては、ＪＩＳ−Ｐ８１４８法によるＩＳＯ白色度が８０％以上であることが望ましい。
【０００４】
衛生性については、古紙中の有害夾雑物、古紙原料由来の古紙中の蛍光染料、その他の古紙中の不衛生な物、コルゲート加工や製函加工に用いられる糊に含まれる有害成分など、食品衛生上の不適切な物が含まれていないことが要求される。
【０００５】
通常の段ボールは、ライナーには表層に未晒クラフト紙を抄合わせたＫライナーまたはＣライナーが、中芯には中芯原紙が用いられている。このＫライナー、Ｃライナーおよび中芯原紙は通常８０％から１００％の段ボール古紙から製造される。ＫライナーおよびＣライナーの表面は茶褐色で、その白色度は高くとも３５％程度である。
また、表側のライナーの最外層に白色度の高い薄紙を抄合わせた白ライナーまたはコート白ボールを用いることで美粧性を持たせた段ボールも数多く存在するが、白色表層紙あるいは表面コート層の内側の段ボール古紙の色が透けて見える。
【０００６】
以上に示したように、従来の段ボールは、十分な白さを備えておらず、美粧性を有していないので、食品、食品容器、医薬品などの包装資材としては適していなかった。また、段ボール箱の製函において有害成分を含有する接着剤を用いて接合した段ボール箱は、衛生性に欠けるので、上記と同様に、食品などの包装資材としては適していなかった。
【０００７】
ところで、環境問題や資源保護に対応するため、一度使用した古紙は、再生紙の原料として再利用されている。古紙には上質古紙、新聞古紙、段ボール古紙など様々なグレードがあるものの、印刷用紙や包装用紙などのいわゆる白い紙を作るための古紙パルプの原料古紙は白い紙に限られる。したがって、通常の段ボールや未晒クラフト紙などは、白い紙を作るための古紙パルプ製造工程において、原料古紙として投入することができなかった。
【０００８】
また、オフィスなどから排出される機密古紙は、上質紙や印刷用紙の古紙であり、白い紙を作るための古紙パルプ製造工程における古紙としては上級の部類に属するが、通常、機密古紙は普通の褐色仕様の段ボールに入れられて製紙工場に運ばれ、その段ボール箱の中身の機密古紙だけが古紙パルプ製造工程に投入され、輸送に使用された段ボール箱は別の用途に供される。したがって、機密古紙と段ボール箱を分別する必要があり、またこの際、機密が漏れてしまう恐れもあった。
【０００９】
なお、特許文献１ないし３のように、段ボールに製函した後の外側に相当するライナーにのみ、あるいは段ボールに製函した後の内側に相当するライナーにのみ、高い白色度と衛生性を備える紙を使用して高い美粧性を持たせた段ボールも存在するが、段ボールを構成するすべての原紙を、高白色度でかつ古紙無配合であって衛生性を備える紙とした段ボールは、未だ供給されていない。
【先行技術文献】
【特許文献】
【００１０】
【特許文献１】特開２００８−２６６８６５号公報
【特許文献２】特開２００９−２２８１８４号公報
【特許文献３】特開２００９−２６３８２１号公報
【考案の概要】
【考案が解決しようとする課題】
【００１１】
そこで本考案は上記課題を解決するためになされたものであり、優れた美粧性と衛生性を有し、白い再生紙の原料古紙とすることができる段ボールおよび段ボール箱を提供することを目的とする。
【課題を解決するための手段】
【００１２】
上記課題を解決するため、請求項１記載の考案は、ライナーと中芯とからなる段ボールであって、ライナー及び中芯原紙の原材料を晒バージンパルプとし、前記ライナー及び中芯の白色度を８０％以上とすることを特徴とする。
【００１３】
これによると、十分な白さを備え、しかも内部の色が透けて見えることのない段ボールを提供することができる。また、使用済みの本考案に係る段ボールは、白い再生紙を製造するための原料古紙とすることができる。
【００１４】
請求項２記載の考案は、請求項１記載の段ボールからなる段ボール箱であって、段ボール箱の接合に有害成分を含有しない接着剤を用いることを特徴とする。
【００１５】
これによると、上記段ボールを用いて段ボール箱を形成するので、十分な白さを備え、内部の色が透けて見えることのない段ボール箱を提供することができる。しかも、段ボール箱の接合に有害成分を含有しない接着剤を用いるので、本考案に係る段ボール箱は衛生性にも優れている。
使用済みの本考案に係る段ボール箱は、上記段ボールと同様に、白い再生紙を製造するための原料古紙とすることができる。これに関連して、本考案に係る段ボール箱は、機密古紙の回収輸送用段ボールとして使用することができ、封緘においてテープ等の固定手段が古紙再生工程に対応可能なものである場合には、機密古紙の充填された段ボール箱を開梱することなくそのまま離解パルパーに投入することが可能である。
【００１６】
請求項３記載の考案は、請求項２記載の段ボール箱において、前記接着剤が水溶性であることを特徴とする。
【００１７】
これによると、段ボール箱の接合に用いる接着剤を水溶性のものとすることで、再生紙を製造する際の古紙工程における分散性を確保できる。
【考案の効果】
【００１８】
請求項１記載の考案によると、本考案に係る段ボールは、十分な白さを備え、内部の色が透けて見えることがないので、美粧性に優れ、清潔感を備えている。そのため、当該段ボールは、食品、食品容器、医薬品などの包装資材としても用いることもできる。また、使用済みの本考案に係る段ボールは、白い再生紙を製造するための原料古紙とすることができる。
【００１９】
請求項２記載の考案によると、上記段ボールを用いて段ボール箱を形成するので、美粧性に優れ、かつ、清潔感のある段ボール箱を提供することができる。しかも、段ボール箱の接合において有害成分を含有しない接着剤を用いるので、本考案に係る段ボール箱は衛生性にも優れている。そのため、本考案に係る段ボール箱は、食品分野および医薬品分野などにおける包装容器としても用いることができる。
また、使用済みの本考案に係る段ボール箱は、白い再生紙を製造するための原料古紙とすることができる。さらに、本考案に係る段ボール箱は、機密古紙の回収輸送用段ボールとして使用することができ、機密古紙の充填された段ボール箱を開梱することなくそのまま離解パルパーに投入することができる。したがって、従来の段ボール箱を使用して機密古紙を回収した場合のように、古紙再生工程において機密古紙と段ボール箱を分別する必要が無く、機密が漏れる恐れもない。
【００２０】
請求項３記載の考案によると、段ボール箱の接合に水溶性の接着剤を用いることにより、再生紙を製造する際の古紙工程における分散性を確保できる。
【図面の簡単な説明】
【００２１】
【図１】本考案に係る段ボールの実施形態を示す斜視図である。
【図２】本考案に係る段ボールの実施形態を示す断面図である。
【図３】本考案に係る段ボール箱（段ボールシート）の実施形態を示す展開図である。
【図４】本考案に係る段ボール箱の実施形態を示す斜視図である。
【考案を実施するための形態】
【００２２】
以下、本考案に係る段ボールＢおよび段ボール箱Ｃを実施するための形態について図面を用いて説明する。
【００２３】
まず、本考案に係る段ボールＢの実施形態について説明する。本実施形態による段ボールＢは、コルゲート加工により得られる両面段ボールであって、図１及び図２に示すように、波形成形された中芯２と、その波頂部および波谷部に接着される２枚のライナー１，１とによって構成されている。
【００２４】
ライナー１，１および中芯２原紙は、晒処理を施したバージンパルプを原材料とする。具体的には、ライナー１，１については、晒処理を施したバージンパルプを原材料とする高級白板紙、特殊白板紙または食品容器原紙などの白板紙や加工原紙を、中芯２原紙については、これを原材料とする上質紙、上質コート紙、晒クラフト紙または純白ロール紙などの印刷用紙や包装用紙、または食品容器原紙などの加工原紙をそれぞれ適用することができる。
上記紙種の中でも、コスト性、取扱性および衛生性の観点からは、ライナー１，１としてはカップ原紙などの加工原紙を、中芯２原紙には上質紙などの印刷用紙を使用することが望ましい。
この構成によると、ライナー１，１及び中芯２原紙のＪＩＳ−Ｐ８１４８法に準拠する白色度を８０％以上とすることができる。
【００２５】
段ボールＢは、上記ライナー１，１および中芯２原紙に対し、コルゲータを用いて、中芯２原紙を波型成形し、中芯２の波頂部および波谷部にライナー１，１を接着することにより製造することができる。
【００２６】
ライナー１，１と中芯２の接着には接着剤が用いられる。この接着剤としてはコーンスターチ、馬鈴薯でんぷん、タピオカでんぷんなどのでんぷん糊もしくは変性でんぷん糊、酢酸ビニル共重合体もしくはアクリル酸エステル共重合体などの水性エマルジョン糊を挙げることができる。中でも、古紙再生工程における分散性および衛生性の観点からは、コーンスターチなどの変性でんぷん糊が望ましい。以下、ライナー１，１と中芯２の接着に用いる接着剤は、コーンスターチなどの変性でんぷん糊であるものとして説明を行う。
【００２７】
以上により構成される本考案に係る段ボールＢは、十分な白さを備え、しかも内部の色が透けて見えることがないので、美粧性に優れ、清潔感を備えている。そのため、本考案に係る段ボールＢは、食品、食品容器、医薬品などの包装資材として用いることもできる。さらに、使用済みの本考案に係る段ボールＢは、白い再生紙を製造するための原料古紙とすることができる。
また、ライナー１，１と中芯２の接着剤として、コーンスターチなどの変性でんぷん糊を使用することにより、段ボールの衛生性および古紙再生工程における分散性を確保できる。
【００２８】
なお、本考案の実施形態として両面段ボールについて説明したが、本考案は、中芯２の波頂部または波谷部の一方にのみライナー１を接着する片面段ボールにも適用することができ、例えばこれを梱包材等として使用することもできる。
【００２９】
次に、本考案に係る段ボール箱Ｃの実施形態について説明する。図３および図４は、本考案に係る段ボール箱Ｃの実施形態を示す。段ボール箱Ｃは、上記段ボールＢを用いて加工された段ボールシートＳを製函して製造される。
【００３０】
段ボールシートＳは、４面の側面シート１１、１２、１３、１４と、側面シートの上縁および下面にそれぞれ設けられる上面フラップ２１、２２、２３、２４及び下面フラップ３１、３２、３３、３４と、により構成される。また、側面シート１１の側縁には、側面シート１１、１４を連結するための継ぎしろ部４１が設けられている。この継ぎしろ部４１の外面を側面１４の内面に接合すると、側面シート１１、１４が連結され、梱包前の段ボール箱Ｃが完成する。
【００３１】
段ボール箱Ｃの製造については、まず、プリンタ、スロッタおよびダイカッタ等を用いて、上記段ボールＢの断裁、溝切り、けい線入れおよび型抜の各処理を行い、段ボールシートＳを形成する。次いで、グルアを用いて段ボールシートＳの接合（製函）処理等を行うことにより段ボールＣが製造される。
【００３２】
段ボールシートＳの接合には接着剤が用いられる。この接着剤としては、ポリビニルアルコール、ポリビニルピロリドン、カルボキシメチルセルロースなどの水溶性糊を挙げることができる。中でも、古紙再生工程における分散性および衛生性の観点からは、ポリビニルアルコールなどの水溶性高分子糊が望ましい。
【００３３】
以上により構成される本考案に係る段ボール箱Ｃは、優れた美粧性と清潔感を有し、しかも、衛生性および古紙再生工程における分散性にも優れている。
【００３４】
本考案に係る段ボール箱Ｃの使用方法については、一般的な段ボール箱と同様であり、対象物の梱包の際に、側面シート１１、１２、１３、１４を長方形形状に広げ、上面フラップ２１、２２、２３、２４および下面フラップ３１、３２、３３、３４を内側に折り曲げてテープ等の固定手段により封緘して使用する。
本考案に係る段ボール箱Ｃは、その性質により、従来の段ボール箱と同じ用途に使用できることは勿論のこと、美粧性や衛生性が求められる食品分野および薬品分野等の容器としても使用することができる。
また、本考案に係る段ボール箱Ｃは、機密古紙の回収輸送用段ボールとして使用することができ、封緘の際に用いられるテープ等の固定手段が古紙再生工程に対応可能なものである場合には、機密古紙の充填された段ボール箱Ｃを開梱することなくそのまま離解パルパーに投入することが可能である。したがって、従来の段ボール箱を使用して機密古紙を回収した場合のように、古紙再生工程において機密古紙と段ボール箱を分別する必要が無く、機密が漏れる恐れもない。
【００３５】
以上に説明した段ボールＢおよび段ボール箱Ｃの実施例について説明する。
【００３６】
ライナー１，１の原紙については、カナダ標準ろ水度で５００ｍｌに叩解されたＬＢＫＰバージンパルプおよびＮＢＫＰバージンパルプの１：１重量部からなる原料パルプに、０．２重量％のサイズ剤を添加し、多層抄き抄紙機で澱粉糊を層間接着糊として用い、４層抄き合せで抄紙して、坪量１８０ｇ、白色度８３％のカップ原紙が製造される。
【００３７】
中芯２原紙については、カナダ標準ろ水度で４５０ｍｌに叩解されたＬＢＫＰバージンパルプおよびＮＢＫＰバージンパルプの９：１重量部からなる原料パルプに、０．２重量％のサイズ剤を添加し、長網抄紙機で抄紙して、坪量１２７．９ｇ、白色度８６％の上質紙が製造される。
【００３８】
上記上質紙を中芯２原紙として、上記カップ原紙を表ライナー１および裏ライナー１として、コーンスターチ糊を接着剤として用い、コルゲータで段ボールＢを製造する。次いで、上記段ボールＢを、プリンタ、スロッタおよびダイカッタ等により段ボールシートＳに加工する。最後に、水溶性のＰＶＡ糊を用い、グルアで段ボールシートＳの接合処理を行うことにより、本考案に係る段ボール箱Ｃが完成する。
【００３９】
実施例の段ボールＢの破裂強度について、ＪＩＳ  Ｐ８１３１に規定されている方法により評価したところ、その破裂強度は１１５０ｋＰａであった。したがって、本考案の段ボールＢはＪＩＳ  Ｚ１５１６の両面段ボール２種の規格を満たす段ボールとして用いることが可能である。
【符号の説明】
【００４０】
１    ライナー
２    中芯
１１、１２、１３、１４    側面シート
２１、２２、２３、２４    上面フラップ
３１、３２、３３、３４    下面フラップ
４１    継ぎしろ部
Ｂ    段ボール
Ｃ    段ボール箱
Ｓ    段ボールシート
【図１】
0003160065.tif 000003
【図２】
0003160065.tif 000004
【図３】
0003160065.tif 000005
【図４】
0003160065.tif 000006